(57)【要約】      （修正有）【課題】つめかえあるいは補充に当たっては、外したポンプ部に付着した溶液がたれてしまうので予め受け皿を用意する必要や、汚れても良い台所シンクの中や洗面台に移動して行うことや、ボトルにつめかえ液を注いだ祭に溢れることが多々発生している。【解決手段】ポンプ付きボトルの上面傾斜部または上面部に開口部を形成し、開口部を塞ぐキャップ２を係接する。係接されたキャップ２は容器内の液体が外部からの衝撃に対して強度と密閉度をもたせ、つめかえ作業をするときキャップ２が取れるようにつまみを設ける。キャップ２を外したときキャップ２を紛失しないように紐状とリング部を設けリング部はポンプ部６のネジ部に係接する。開口部はつめかえの際、溶液の視認ができ、従来のポンプ部６を取り外してからネジ部よりつめかえ液を入れると急に液面があがり溶液を溢れることもなくつめかえあるいは補充が容易に行うことが出来る。【選択図】図８
2017218223.tif 000002
【特許請求の範囲】
【請求項１】
ポンプ付きボトルの上面傾斜部または上面部に開口部１を形成し、開口部１を塞ぐ軟質材からなるキャップ２を係接していることを特徴するポンプ付きボトル。
【請求項２】
係接された軟質材からなるキャップ２は容器内の液体が外部からの衝撃に対して強度をもたせ、つめかえ作業をするときキャップ２が取れるようにつまみ３を設ける。
そして、キャップ２を外したとき紛失しないように紐状４とリング部５を設けリング部５はポンプ部６とネジ部７の間に係接されていることを特徴する請求項１項にかかるポンプ付きボトル。
【請求項３】
ボトル部１０の上面傾斜部や上面部に開口部１を形成するにあたってはブロー成形上、同時に形成することが出来ないため、次工程で円形または楕円形にプレスカットあるいは切削加工で開口部１を形成していることを特徴とする請求項１項にかかるポンプ付きボトル。
【発明の詳細な説明】
【技術分野】
【０００１】  本発明は、ポンプ付きボトルの溶液が無くなった時に溶液のつめかえあるいは補充作業の容易性に関するものである。
【背景技術】
【０００２】  従来技術でのポンプ付きボトルにはプッシュ型のボトルやレバー型のボトルがあり、シャンプー、リンス、風呂洗浄剤、食器用洗剤など普及化され様々な形状があり、多く市販されている。【０００３】  これらのポンプ付きボトルには溶液が無くなった際につめかえ用のボトルやつめかえ用のパウチが販売されておりポンプ付きボトルを再利用して使うことでエコロジー化に貢献している。【０００４】  消費者は溶液のつめかえあるいは補充することで資源のエコロジー化と家計を助けるなど良いことであるが、つめかえあるいは補充に当たってはポンプ部を外してからつめかえあるいは補充作業を行うため、外したポンプ部に付着している溶液がたれてしまうので予め受け皿を用意する必要や、汚れても良い台所シンクの中や洗面台に移動して行うこととなる。【０００５】  また、ポンプを外した後、ボトルにつめかえ液を注いだ祭に溢れることが多々発生した。
これはポンプ付きボトル内の溶液がほとんど無い状態ではなく、つめかえ溶液の容量が多い時に溢れてしまう失敗がある。【０００６】  つめかえ溶液の容量が明らかに多い時は補充する目的で溢れないように注意しながら注ぐがポンプ付きボトルの注ぎ口はネジ部が円筒状のため、ボトル部の面積とネジ部の面積が大きく異なるのでつめかえ溶液が充填される時、ボトル内とネジ部では溶液の液面の上昇速度は面積差分、液面がネジ部に達すると急激に上昇し注ぐのを止めることが出来ず溢れてしまう。
特にポンプ付きボトルが不透明の場合、ボトル内の溶液量が視認できないため頻繁に溢れることがある。【０００７】  この様な溶液が溢れてしまうことと前記で述べたポンプを外した時に溶液が垂れてしまう問題と関連し、あらかじめ容器を用意するか溢れても良い場所での作業となり使用者に至っては煩わしが伴ってしまう。【０００８】  ここで、従来技術でのポンプ付きボトルでのつめかえあるいは補充作業を説明する。
図１は従来の技術でのポンプ付きボトルでつめかえあるいは補充作業をする際、ポンプ部６を抜いた状態にしてつめかえあるいは補充を行うがこのとき、ポンプ部６に付着している液が流れてしまう。【０００９】  図２は従来技術でのつめかえあるいは補充作業を示す図でつめかえあるいは補充溶液がボトル部１０に溶液が流れている説明図でボトル内の面積が広いので安定して溶液のつめかえあるいは補充作業が行えている状態である。【００１０】  図３は従来技術でのつめかえあるいは補充作業を示す図でつめかえあるいは補充溶液がボトル部１０のネジ部７に達してしまった場合の説明図でネジ部７に溶液１１が充填された場合、ボトル部１０の面積とネジ部７の面積の違いによりつめかえあるいは補充作業で溶液１１の充填がネジ部７に達した時は急激に液面が上昇し溢れ出すことになる。【００１１】  ボトル内の溶液が無く、この時のボトル内の容積よりつめかえ溶液の方が少なければ溢れることは無いが確認せずにつめかえあるいは補充作業を行っていることが多かった。
特にボトル部１０が不透明の場合、ボトル内の溶液量が視認できないため、上記のような溶液を溢れさせてしまうことが多く発生した。
【発明の開示】
【発明が解決しようとする課題】
【００１２】  解決しようとする課題はつめかえあるいは補充に当たってはポンプ部６を外してからつめかえあるいは補充作業を行うため、外したポンプ部６に付着した溶液がたれてしまうので予め受け皿を用意する必要や、汚れても良い台所シンクの中や洗面台に移動して行うことやポンプ部６を外した後、ボトル部１０につめかえ液を注いだ祭に溢れることが多々発生している事にある。
【課題を解決するための手段】
【００１３】  本発明は、上記課題の鑑みてなされたもので、請求項１にかかる発明でポンプ付きボトルの上面傾斜部または上面部に開口部１を形成、開口部１を塞ぐ軟質材からなるキャップ２を係接する。
係接された軟質材からなるキャップ２は容器内の液体が外部からの衝撃に対して強度と密閉度をもたせ、つめかえ作業をするとき軟質材からなるキャップ２が取れるようにつまみ３を設ける。
そして、軟質材からなるキャップ２を外したとき軟質材からなるキャップ２を紛失しないように紐状４とリング部５を設けリング部５はポンプ部６とネジ部７の間に係接する。【００１４】  本発明のポンプ付きボトルの上面傾斜部または上面部の開口部１はつめかえの際、ボトル部１０が不透明の色でも溶液１１の視認ができ、従来のポンプ部６を取り外してからネジ部７よりつめかえ液を入れるとネジ部７に溶液が充填され始めると急に液面があがり溶液を溢れることもなく、つめかえあるいは補充が容易に行うことが出来る。
【発明の効果】
【００１５】  本発明によれば、ポンプ付きボトルのポンプ部６を外さずにつめかえあるいは補充が容易に行うこととつめかえあるいは補充作業において溶液を溢れることなく清潔と簡易性を持たした商品を提供することができる。
【発明を実施するための最良の形態】
【００１６】  本発明の実施形態を説明する。
図４で本発明の１実施例でポンプ付きボトルの上面傾斜面の開口部１を設けた図である。【００１７】  つぎに、本発明である開口部１を製造する工程を説明する。
一般的にポンプ付きボトルのボトル部１０の製造はブロー成形と呼ばれる工程で作られている。
ブロー成形する前はネジ部とシリンダー状が一体に成形された基材からブロー成形でボトル部１０の形状にする。
ボトル部１０のネジ部７を固定して、ネジ部７から温風を吹き、ボトル部１０の形状を膨張させて成形をする。【００１８】  ブロー成形の特徴としてネジ部７に近い上面傾斜部や上面部は他の部分より厚くなる傾向にある。
本発明であるポンプ付きボトルの上面傾斜部あるいは上面部に開口部１を形成に当たって強度と密閉度を得るには好都合となる。【００１９】  また、ボトル部１０の上面傾斜部や上面部に開口部１を形成するにあたってはブロー成形上、同時に形成することが出来ないため、次工程で円形または楕円形にプレスカットまたは切削加工で開口部１を形成する。
切削加工による開口部１の形成は切削屑を除去する工程が必要となるのでプレスカットの方がコスト的に有利である。【００２０】  ここでプレスカットによる開口部１を形成する方法を図９で説明する。
円形または楕円形の刃１２とプレスカットした際にプレスカットされた断片１３を吸着、離脱するための動作穴１４を金型に設ける。
ボトル部１０の上面傾斜部や上面部に円形または楕円形の刃でプレスカットするに当たってはボトル部１０が空洞のため通常のプレスカットでは行えないのでプレス刃を温めてプレスすることで開口部１がボトル１０に形成され、プレスカットされた断片１３がボトル１０の中に落ちないよう動作穴１４で吸引する。
次工程で動作穴１４からエアーが吹き出し、断片１３が離脱され廃棄する。【００２１】  図６で本発明の開口部１を塞ぐ軟質材からなるキャップ２の形状を示す図である。
軟質材かなるキャップ２は容器内の液体が外部からの衝撃に対して強度をもたせつめかえ作業をするときキャップ２が取れるようにつまみ３を設ける。
そして、キャップ２を外したとき紛失しないように紐状４とリング部５を設けリング部５はポンプ部６のネジ部７に係接する。【００２２】  図７は本発明の１実施例でポンプ付きボトルの開口部１につめかえあるいは補充のためにパウチ８の溶液を開口部１にセットした状態を示す説明図で、ボトル部１０が不透明の色でも溶液１１の視認ができ、従来のポンプ部６を取り外してからネジ部７よりつめかえ液を入れるとネジ部７に溶液が充填され始めると急に液面があがり溶液を溢れることもなく、つめかえあるいは補充が容易に行うことが出来る。【００２３】  他の実施例としてはボトル部１０とポンプ部６をネジ部７で保持しているが脱着が容易でない取付け構造でも良いことになり、コストを下げることが可能になる。
【図面の簡単な説明】
【００２４】
【図１】  図１は従来の技術でのポンプ付きボトルでつめかえあるいは補充作業をする際、ポンプ部６を抜いてつめかえあるいは補充を行う準備の一部断面図である。
【図２】  図２は従来技術でのつめかえあるいは補充作業を示す図でパウチ８つめかえあるいは補充溶液をボトル部に溶液が流れている説明の一部断面図である。
【図３】  図３は従来技術でのつめかえあるいは補充作業を示す図でパウチ８のつめかえあるいは補充溶液がボトル部１０のネジ部７に達してしまった場合の説明の一部断面図である。
【図４】  図４は本発明の１実施例でポンプ付きボトルの上面傾斜面の開口部１を設けた斜視図である。
【図５】  図５は本発明の１実施例でポンプ付きボトルの上面に開口部１を設けた斜視図である。
【図６】  図６は本発明の開口部１を塞ぐ軟質材からなるキャップ２の形状を示す斜視図である。
【図７】  図７は本発明の１実施例でポンプ付きボトルの開口部１につめかえあるいは補充のためにパウチ８の溶液を開口部１にセットした状態を示す一部断面図である。
【図８】  図８は本発明の実施例でポンプ付きボトルの１実施例を示す斜視図である。
【図９】  図９は本発明の実施例でポンプ付きボトルに開口部１を形成する一部断面図である。
【符号の説明】
【００２５】１    開口部
２    キャップ
３    つまみ
５    リング部
６    ポンプ部
７    ネジ部
【図１】
2017218223.tif 000003
【図２】
2017218223.tif 000004
【図３】
2017218223.tif 000005
【図４】
2017218223.tif 000006
【図５】
2017218223.tif 000007
【図６】
2017218223.tif 000008
【図７】
2017218223.tif 000009
【図８】
2017218223.tif 000010
【図９】
2017218223.tif 000011